(57)【要約】      （修正有）【課題】アキレス腱断裂や腓腹筋断裂の治療のために足関節を足尖位に保持する療法で、取扱いが簡単で装着も短時間で行うことができるし安価であり、治療者の症状に応じた最適のリハビリテーションができる。【解決手段】装具本体１を構成する底体２は外側面が踵から土踏まず先端までの足型に、底面２Ｂは略平面に、上面は踵から先端に向けて前下がりの支承面２Ｃに形成してある。底体２の外側面に設ける側面保持体３は、後端３Ａがアキレス腱を覆う高さに設定し、後端３Ａから底体２の先端にかけて足の側面を覆う。側面保持体３には面状ファスナによって接離自在な甲面覆い体４、５が設けてある。受面１１Ｂが前下がり傾斜面になった角度の異なる複数の角度調整体１１を装具本体１に交換可能に挿装する。【選択図】図７
0003114388.tif 000002
【実用新案登録請求の範囲】
【請求項１】
外側面は踵から土踏まず先端までの足型に形成し、底面は略平面に形成し、上面は前記踵から土踏まず先端に向けて前下がりの支承面としてなる底体と、該底体の外側面に沿って設けられ、後端は治療者のアキレス腱を覆う高さに設定し、該後端から前記底体の先端にかけて足の側面を覆う側面保持体と、該側面保持体に連設され、係合手段によって接離自在な甲面覆い体とから装具本体を構成し、治療者の足裏を受ける受面が角度の異なる前下がり傾斜面になった複数の角度調整体を該装具本体に交換可能に挿装して使用するようにした角度調整式踵部補高装具。
【請求項２】
前記甲面覆い体に設ける係合手段は、面状ファスナであることを特徴とする請求項１記載の角度調整式踵部補高装具。
【考案の詳細な説明】
【技術分野】
【０００１】
本考案は、アキレス腱断裂や、腓腹筋断裂の治療、及びその後に行うリハビリテーションに用いて効果的な角度調整式踵部補高装具に関する。
【背景技術】
【０００２】
何らかの原因でアキレス腱を断裂した場合、その治療には症状に応じて腱の接合手術を行い又は行わずに、その後一定期間足関節を尖足位の状態に保持して歩行訓練するリハビリテーションを行っている。この歩行訓練には、従来足関節を尖足位に保持するための下腿・足部装具を用いており、腱の強度が増すのに従って尖足位の角度を小さくするようにしている。
【０００３】
また、腓腹筋断裂の治療には、従来はギブスによる固定や筋の接合手術を行っているが、尖足位の状態に保持する装具で歩行させながら治療する方法は普及するに至っていない。
【０００４】
また、足底の厚さ調節を簡単に行うことのできる足底装具として、足底装具本体２と、この下面側に対して着脱自在に取り付けられる高さ調整用治具３とから構成した下肢疾患治療用装具が知られている。
【特許文献１】特開平１１−４８４２号公報
【考案の開示】
【考案が解決しようとする課題】
【０００５】
従来の下腿・足部装具は、腱の強度が増すのに従って尖足位の角度を小さくする調整を行うが、この調整のために支柱とジョイントからなる機構を設けるか、或いは装具を作り直していることから、装具が高価である、調整が面倒である、装具の作り直しに日数が掛かる、といった幾多の欠点がある。また、特許文献１に開示の技術は広く下肢疾患患者に対して保存的治療や矯正治療を行うための装具であり、足関節を尖足位に保持してアキレス腱断裂や腓腹筋断裂の治療を図るという機能を持つものではない。
【０００６】
本考案は上述した従来技術の欠点や未解決の問題点に鑑みなされたもので、アキレス腱断裂や腓腹筋断裂の治療のために足関節を足尖位に保持する療法において、従来の下腿・足部装具に換えて、取り扱いが簡単で装着も短時間で行うことができる利点があり、しかも安価であることから、治療者の症状に応じた最適のリハビリテーションができる角度調整式踵部補高装具を提供することを目的とする。
【課題を解決するための手段】
【０００７】
上述した課題を解決するために構成された本考案の手段は、外側面は踵から土踏まず先端までの足型に形成し、底面は略平面に形成し、上面は前記踵から土踏まず先端に向けて前下がりの支承面としてなる底体と、該底体の外側面に沿って設けられ、後端は治療者のアキレス腱を覆う高さに設定し、該後端から前記底体の先端にかけて足の側面を覆う側面保持体と、該側面保持体に連設され、係合手段によって接離自在な甲面覆い体とから装具本体を構成し、治療者の足裏を受ける受面が角度の異なる前下がり傾斜面になった複数の角度調整体を該装具本体に交換可能に挿装して使用するようにしたものからなる。
【０００８】
そして、前記甲面覆い体に設ける係合手段は、面状ファスナにするとよい。
【考案の効果】
【０００９】
本考案は上述の如く構成したから、下記の諸効果を奏する。
（１）アキレス腱断裂や腓腹筋断裂の治療のために足関節を尖足位の状態に保持する場合、角度調整体を装具本体に交換して挿装することにより、治療者の治療に必要な足関節の尖足位の角度を設定することや、回復状況に応じて最適の尖足位の角度調整することを容易に、かつ簡単に短時間で行うことができる。
（２）装着が面倒で高価であった従来の下腿・足部装具を不要にできるし、本装具を予め各種のサイズで作製しておくことにより、直ちに患者に装着することができる。
（３）甲面覆い体には係合手段として面状ファスナを設けることにより、操作が楽でしかも装具本体を足に確実に固定させることができ、歩行練習時の治療者の不安を解消することができる。
【考案を実施するための最良の形態】
【００１０】
以下、本考案の実施の形態を図面に基づき詳述する。図において、１は角度調整式踵部補高装具を構成する装具本体、２は該装具本体１を構成する底体を示す。該底体２は、外側面２Ａを装着者の踵から土踏まず先端までの足型に沿うように略半楕円状に形成し、底面２Ｂを略平面に形成し、上面を踵から先端に向けて前下がりの支承面２Ｃとした形状からなっており、合成樹脂材や硬質ゴムで成形して適度の弾力性を付与することにより装着者への衝撃を減少してある。
【００１１】
３は前記底体２の外側面２Ａに沿って起立した状態に形成した側面保持体を示す。該側面保持体３は、後端３Ａが装着者のアキレス腱を覆う高さからなり、上縁３Ｂが先端３Ｃに向けて下りに傾斜し、装着者の踵、アキレス腱、踝、足首から土踏まずの両側面を覆うように平面略Ｕ字状で側面略三角形の形状に形成してあり、側面保持体３は例えば中に硬質の芯材を入れた軟質の合成樹脂材で成形してある。
【００１２】
４は前記側面保持体３に一体に形成した甲面上側覆い体を示す。該甲面上側覆い体４は、側面保持体３の上部側から横方向に一体に伸張し、互いに重畳する長さからなる一側フラップ４Ａと他側フラップ４Ｂから構成してあり、該一側フラップ４Ａは下面に、他側フラップ４Ｂは上面に図示しない面状ファスナを設けることにより係着自在になっている。
【００１３】
また、５は前記甲面上側覆い体４から下方に離間して側面保持体３に一体に成形した甲面下側覆い体を示す。該甲面下側覆い体５は、側面保持体３の先端寄側から横方向から一体に伸張し、互いに重畳する長さからなる一側フラップ５Ａと他側フラップ５Ｂから構成してあり、該一側フラップ５Ａは下面に、他側フラップ５Ｂは上面に図示しない面状ファスナを設けることにより係着自在になっている。
【００１４】
次に、１１は上述した装具本体１に交換可能に挿装することにより治療者の足関節の尖足位の角度を調整するための角度調整体を示す。該角度調整体１１は、装具本体１の支承面２Ｃと平面において略同形の半楕円状に形成し、平坦な下面は支承面２Ｃに押接する当接面１１Ａに、上面は装着者の足裏を受ける受面１１Ｂになっている。ここで、該受面１１Ｂは、治療者の踵側である後側は肉厚に、土踏まず側である先端側は薄く形成することによって、前下がりの傾斜面になっている。そして、本実施の形態では、角度調整体１１は受面１１Ｂの傾斜角度が異なる複数のタイプのものをセットとして揃えておき、適宜選択して使用する。
【００１５】
本実施の形態は上述の構成からなり、治療者は自己の足に適合したサイズの装具本体１を選定し、また、治療当初は受面１１Ｂの傾斜角度が大きい角度調整体１１を装具本体１内に挿装して着用することにより、足関節を足尖位に保持して歩行するトレーニングを行うことができる。そして、治療者の腱ないし筋の強度が増したら、受面１１Ｂの傾斜角度の小さい角度調整体１１に順次交換して装着使用することにより、回復の程度に応じた最適の状態でアキレス腱断裂や腓腹筋断裂の治療のリハビリテーションを行うことができる。
【図面の簡単な説明】
【００１６】
【図１】角度調整式踵部補高装具の正面図である。
【図２】角度調整式踵部補高装具の背面図である。
【図３】角度調整式踵部補高装具の左側面図である。
【図４】角度調整式踵部補高装具の右側面図である。
【図５】角度調整式踵部補高装具の平面図である。
【図６】角度調整式踵部補高装具の底面図である。
【図７】角度調整式踵部補高装具の断面図である。
【図８】角度調整体の平面図である。
【符号の説明】
【００１７】
１        装具本体
２        底体
２Ａ      外側面
２Ｂ      底面
２Ｃ      支承面
３        側面保持体
３Ａ      後端
３Ｃ      先端
４        甲面上側覆い体
５        甲面下側覆い体
１１      角度調整体
１１Ｂ    受面
【図１】
0003114388.tif 000003
【図２】
0003114388.tif 000004
【図３】
0003114388.tif 000005
【図４】
0003114388.tif 000006
【図５】
0003114388.tif 000007
【図６】
0003114388.tif 000008
【図７】
0003114388.tif 000009
【図８】
0003114388.tif 000010